(57)【要約】【課題】各チャネルにおける、アンテナベリフィケーション誤りによる特性の劣化を防止する移動局装置及び移動局装置の制御方法を提供する。【解決手段】移動局装置１は、閉ループ型送信ダイバーシチ制御を適用した無線基地局装置と通信を行う。移動局装置１は、アンテナベリフィケーションを行うアンテナベリフィケーション部２１と、アンテナベリフィケーション結果を受け取り、DPCHの復調にはアンテナベリフィケーション結果を反映させるが、HS-PDSCHの復調にはアンテナベリフィケーション結果を反映させない、という制御を行うアンテナベリフィケーションOn/Off制御部７０とを備える。【選択図】図１
2006222937.tif 000002
【特許請求の範囲】
【請求項１】
移動局装置から通知されたフィードバック情報に基づき、２本のアンテナから送信する信号の位相を制御して、当該信号を送信する閉ループ型送信ダイバーシチ制御を適用した無線基地局装置と通信を行う前記移動局装置であって、
前記無線基地局装置から受信した信号のチャネル種別に応じて、前記２本のアンテナからの信号の位相の推定結果を反映させるか否か決定する制御部を備えることを特徴とする移動局装置。
【請求項２】
前記制御部は、前記チャネル種別が共有パケットチャネルである場合、前記位相の推定結果を反映させず、前記チャネル種別が個別チャネルである場合、前記位相の推定結果を反映させることを特徴とする請求項１に記載の移動局装置。
【請求項３】
前記共有パケットチャネルは、High Speed Physical Downlink Shared Channelであることを特徴とする請求項１又は２に記載の移動局装置。
【請求項４】
前記個別チャネルは、Associated Dedicated Physical Channel、又は、Dedicated Physical Channelであることを特徴とする請求項１〜３のいずれか１項に記載の移動局装置。
【請求項５】
移動局装置から通知されたフィードバック情報に基づき、２本のアンテナから送信する信号の位相を制御して、当該信号を送信する閉ループ型送信ダイバーシチ制御を適用した無線基地局装置と通信を行う前記移動局装置であって、
前記無線基地局装置から受信したパイロット信号の特性に応じて、前記２本のアンテナからの信号の位相の推定結果を反映させるか否か決定する制御部を備えることを特徴とする移動局装置。
【請求項６】
前記パイロット信号の特性は、前記パイロット信号のSIR、又は、前記パイロット信号の電力オフセット値であることを特徴とする請求項５に記載の移動局装置。
【請求項７】
前記パイロット信号は、個別チャネルの個別パイロット信号であることを特徴とする請求項５又は６に記載の移動局装置。
【請求項８】
移動局装置から通知されたフィードバック情報に基づき、２本のアンテナから送信する信号の位相を制御して、当該信号を送信する閉ループ型送信ダイバーシチ制御を適用した無線基地局装置と通信を行う前記移動局装置であって、
前記フィードバック情報の信頼度に応じて、前記２本のアンテナからの信号の位相の推定結果を反映させるか否か決定する制御部を備えることを特徴とする移動局装置。
【請求項９】
前記フィードバック情報の信頼度は、フェージング周波数、又は通信を行う無線基地局装置の数によって判定されることを特徴とする請求項８に記載の移動局装置。
【請求項１０】
移動局装置から通知されたフィードバック情報に基づき、２本のアンテナから送信する信号の位相を制御して、当該信号を送信する閉ループ型送信ダイバーシチ制御を適用した無線基地局装置と通信を行う前記移動局装置の制御方法であって、
前記無線基地局装置から受信した信号のチャネル種別、前記無線基地局装置から受信したパイロット信号の特性、又は、前記フィードバック情報の信頼度に応じて、前記２本のアンテナからの信号の位相の推定結果を反映させるか否か決定するステップを含むことを特徴とする移動局装置の制御方法。
【発明の詳細な説明】
【技術分野】
【０００１】
本発明は、移動局装置及び移動局装置の制御方法に関し、特に送信ダイバーシチを適用して無線通信を行う移動局装置及び移動局装置の制御方法に関する。
【背景技術】
【０００２】
一般に、無線通信では「フェージング」が発生し、このフェージングにより伝送品質、すなわちビット誤り率特性が大きく劣化する。
【０００３】
このフェージングによる伝送品質に劣化を補償する方法として、一般に「送信ダイバーシチ」が知られている。以下に、この送信ダイバーシチの一種である「閉ループ型送信ダイバーシチ モード1」について説明する（例えば、非特許文献１参照。）。
【０００４】
閉ループ型送信ダイバーシチにおける、無線基地局装置（送信部）の構成を図８に、移動局装置（受信部）の構成を図９に示す。
【０００５】
図８に示すように、無線基地局装置２００（送信部）においては、まず、移動局装置１００からのフィードバック制御（FBI）ビットに基づき、アンテナウェイト生成器１８３が複素ウェイト
【数１】
2006222937.tif 000003
【数２】
2006222937.tif 000004
【０００６】
を生成する。そして、重み付け部１８１が、チャネル符号器１８０によって符号化された２系統の送信データ系列にそれぞれの複素ウェイト
【数３】
2006222937.tif 000005
【数４】
2006222937.tif 000006
【０００７】
を乗算し、拡散コード生成器１８４によって生成された拡散コードを用いて、拡散部１８２が拡散処理を行う。
【０００８】
そして、２つのアンテナから同じキャリア位相で、共通パイロットチャネルであるCPICH(Common Pilot Channel)を送信する。２アンテナから送信されるCPICHは同一の拡散符号で拡散し、パイロットシンボルを変えることで直交化を実現している。
【０００９】
一方、図９に示すように、移動局装置１００（受信部）においては、CPICH用逆拡散部１１０がこの２アンテナからのCPICHを逆拡散し、その後、位相比較部１２０が分離した信号の受信キャリア位相差を比較する。そして、FBIビット生成部１６０が受信キャリア位相差を制御するFBIビットを生成し、上りリンクの個別の物理チャネルDPCH(Dedicated Physical Channel)のDPCCH(Dedicated Physical Control Channel)で送信する。
【００１０】
無線基地局装置２００（送信部）では、この移動局装置１００からのFBIビットを基に生成した送信アンテナウェイトを２アンテナの送信データ系列に乗算して送信する。このように、２アンテナの送信キャリア位相を移動局からのFBIビットを用いて制御することにより、フェージングによる受信信号電力の落ち込みに起因するビット誤りを低減することができる。
【００１１】
3GPPにおいて仕様化されている、閉ループ型送信ダイバーシチ モード1は、移動局受信で２アンテナからの受信信号がほぼ同位相になるように、π/4のキャリア位相の分解能で第２アンテナの個別の物理チャネルDPCHの送信キャリア位相を制御する方法である。以下に、個別の物理チャネルDPCHに閉ループ型送信ダイバーシチのモード1を適用した場合の動作に関してさらに詳しく説明する。
【００１２】
スロットnにおける２アンテナの送信振幅は、
【数５】
2006222937.tif 000007
【００１３】
であり、送信キャリア位相は、
【数６】
2006222937.tif 000008
【数７】
2006222937.tif 000009
【００１４】
である。移動局装置１００は、位相比較部１２０において、２つのアンテナから送信されるCPICHの受信キャリア位相を推定し、FBIビット生成部１６０において、スロットnにおけるFBIビット を生成する。受信キャリア位相の推定値
【数８】
2006222937.tif 000010
【数９】
2006222937.tif 000011
【００１５】
は、偶数スロットnにおいては、
【数１０】
2006222937.tif 000012
【００１６】
奇数スロットnにおいては、
【数１１】
2006222937.tif 000013
【００１７】
となる。無線基地局装置２００は、FBIビットの復号結果
【数１２】
2006222937.tif 000014
【００１８】
（FBIビット誤りがない場合は
【数１３】
2006222937.tif 000015
【００１９】
である）に応じて、第２アンテナにおけるDPCHの(n+1)スロットにおける暫定送信キャリア位相
【数１４】
2006222937.tif 000016
【００２０】
を次のように決める。 nが偶数の時には、
【数１５】
2006222937.tif 000017
【００２１】
nが奇数の時には、
【数１６】
2006222937.tif 000018
【００２２】
そして、スロットn及び(n+1)の暫定キャリア位相から最終的にスロット(n+1)の第２アンテナの送信キャリア位相
【数１７】
2006222937.tif 000019
【００２３】
を次式のように求める。
【数１８】
2006222937.tif 000020
【００２４】
ここで、上りリンクにおけるFBIビットには誤りが発生する場合があり、その場合、移動局装置１００からの制御コマンドとは異なるキャリア位相で無線基地局装置２００が送信してしまうため、適切な位相制御が行われず、誤り率が増大してしまう。このような問題を解決するために、移動局装置１００ではDPCHの各スロットにおける送信ウェイト（送信キャリア位相）を推定するアンテナベリフィケーションを行う。アンテナベリフィケーションの一例は、例えば、TS25.214 Annex A.1 Antenna verificationに記載されている。
【００２５】
一般に、上りリンクにおいては、一定の品質となるように、送信電力制御が行われており、その結果として、FBIビットも一定の確率で誤ってしまうため、上記アンテナベリフィケーション処理を行った方が、下りリンクの特性は向上する。
【００２６】
一方、上記アンテナベリフィケーションは、上りリンクにおいてFBIビットが誤ることによる位相制御の誤りを修正するための機能であるが、実際には、上りリンクにおいてFBIビットが誤らず、適切な位相で下りリンクの送信が行われている場合に、位相制御に誤りがあると判定する場合がある。その場合、適切な位相で送信が行われているのにもかかわらず、移動局装置１００側で誤った位相の判定情報で受信を行うため、誤り率は増大する。言い換えれば、上記のようなアンテナベリフィケーション誤りが存在する場合には、下りの無線特性は劣化することになる。
【００２７】
尚、移動局装置の移動局装置の制御方法としては、上記アンテナベリフィケーションを行っても、行わなくてもよい。アンテナベリフィケーションを行わない場合、移動局装置は、自分が上りリンクで送信したFBIビットが誤らなかったと仮定して、下りリンクの受信を行う。
【００２８】
上記は、下りの個別の物理チャネルDPCHに送信ダイバーシチを適用した際の動作を説明したものであるが、下りリンクの共有チャネルであるHS-PDSCH(High Speed Physical Downlink Shared Channel)に閉ループ型送信ダイバーシチのモード1を適用した場合の動作を以下に説明する。
【００２９】
HS-PDSCHは、下りリンクの高速データ伝送を行う伝送方式HSDPA（例えば、非特許文献２参照。）における、データを運ぶ共有物理チャネルであり、その他の物理チャネルとしては、共有制御チャネルであるHS-SCCH(High Speed Shared Control Channel)や各移動局個別に設定される付随個別チャネルA-DPCH(Associated Dedicated Physical Channel)などがある。
【００３０】
HSDPAにおける送信ダイバーシチは、個別チャネルの場合と同様に、２アンテナからのCPICHの位相差からFBIビットを生成し、上りリンクのDPCHでFBIビットを送信し、下りリンクにおいて、第２アンテナからのHS-PDSCHの位相を制御する。しかしながら、移動局装置におけるアンテナベリフィケーションは、HS-PDSCHに個別のパイロットシンボルが存在しないため、HS-PDSCHではなく、A-DPCHの個別パイロットシンボルを用いて、アンテナベリフィケーションを行う。
【非特許文献１】3GPP,“TS25.214 V5.8.0 Physical layer procedures (FDD) ”
【非特許文献２】3GPP,“TS25.848 V4.0.0 Physical Layer Aspects of UTRA High Speed Downlink Packet Access”
【発明の開示】
【発明が解決しようとする課題】
【００３１】
上述したように、HSDPAにおける送信ダイバーシチのアンテナベリフィケーションは、付随の個別チャネルであるA-DPCHの個別パイロットを用いて行われる。
【００３２】
しかしながら、HS-PDSCHは、A-DPCHとはTTI長、変調方式などが異なり、また、マッピングされているHS-DSCHは、A-DPCHにマッピングされているDCHとは、符号化方法、符号化率などが大きく異なるため、A-DPCHの個別パイロットを用いて、HS-PDSCHのアンテナベリフィケーションを行った場合に、劣化が生じる可能性がある。具体的には、上記A-DPCHの個別パイロットの品質が十分ではなく、アンテナベリフィケーション誤りが増大し、結果として品質特性が劣化してしまう、という問題があった。
【００３３】
本発明は、上記の課題に鑑み、各チャネルにおける、アンテナベリフィケーション誤りによる特性の劣化を防止する移動局装置及び移動局装置の制御方法を提供することを目的とする。
【課題を解決するための手段】
【００３４】
上記目的を達成するため、本発明の第１の特徴は、移動局装置から通知されたフィードバック情報に基づき、２本のアンテナから送信する信号の位相を制御して、当該信号を送信する閉ループ型送信ダイバーシチ制御を適用した無線基地局装置と通信を行う移動局装置であって、無線基地局装置から受信した信号のチャネル種別に応じて、２本のアンテナからの信号の位相の推定結果を反映させるか否か決定する制御部を備える移動局装置であることを要旨とする。
【００３５】
又、第１の特徴に係る移動局装置の制御部は、チャネル種別が共有パケットチャネルである場合、位相の推定結果を反映させず、チャネル種別が個別チャネルである場合、位相の推定結果を反映させることとしてもよい。
【００３６】
又、第１の特徴に係る移動局装置において、共有パケットチャネルは、High Speed Physical Downlink Shared Channelであってもよい。
【００３７】
又、第１の特徴に係る移動局装置において、個別チャネルは、Associated Dedicated Physical Channel、又は、Dedicated Physical Channelであってもよい。
【００３８】
本発明の第２の特徴は、移動局装置から通知されたフィードバック情報に基づき、２本のアンテナから送信する信号の位相を制御して、当該信号を送信する閉ループ型送信ダイバーシチ制御を適用した無線基地局装置と通信を行う移動局装置であって、無線基地局装置から受信したパイロット信号の特性に応じて、２本のアンテナからの信号の位相の推定結果を反映させるか否か決定する制御部を備えることを移動局装置であることを要旨とする。
【００３９】
又、第２の特徴に係る移動局装置において、パイロット信号の特性は、パイロット信号のSIR、又は、パイロット信号の電力オフセット値であってもよい。
【００４０】
又、第２の特徴に係る移動局装置において、パイロット信号は、個別チャネルの個別パイロット信号であってもよい。
【００４１】
本発明の第３の特徴は、移動局装置から通知されたフィードバック情報に基づき、２本のアンテナから送信する信号の位相を制御して、当該信号を送信する閉ループ型送信ダイバーシチ制御を適用した無線基地局装置と通信を行う移動局装置であって、フィードバック情報の信頼度に応じて、２本のアンテナからの信号の位相の推定結果を反映させるか否か決定する制御部を備える移動局装置であることを要旨とする。
【００４２】
又、第３の特徴に係る移動局装置において、フィードバック情報の信頼度は、フェージング周波数、又は通信を行う無線基地局装置の数によって判定されてもよい。
【００４３】
本発明の第４の特徴は、移動局装置から通知されたフィードバック情報に基づき、２本のアンテナから送信する信号の位相を制御して、当該信号を送信する閉ループ型送信ダイバーシチ制御を適用した無線基地局装置と通信を行う移動局装置の制御方法であって、無線基地局装置から受信した信号のチャネル種別、無線基地局装置から受信したパイロット信号の特性、又は、フィードバック情報の信頼度に応じて、２本のアンテナからの信号の位相の推定結果を反映させるか否か決定するステップを含む移動局装置の制御方法であることを要旨とする。
【発明の効果】
【００４４】
本発明によると、各チャネルにおける、アンテナベリフィケーション誤りによる特性の劣化を防止する移動局装置及び移動局装置の制御方法を提供することができる。
【発明を実施するための最良の形態】
【００４５】
次に、図面を参照して、本発明の実施の形態を説明する。以下の図面の記載において、同一又は類似の部分には、同一又は類似の符号を付している。ただし、図面は模式的なものであることに留意すべきである。
【００４６】
以下に、本発明の第１〜第６の実施の形態について説明するが、本発明は、移動局装置から通知されたフィードバック情報に基づき、２本のアンテナから送信する信号の位相を制御して、当該信号を送信する閉ループ型送信ダイバーシチ制御を適用した無線基地局装置と、当該無線基地局装置と通信を行う移動局装置とにより構成される移動通信システムに適用可能である。移動局装置は、後述する所定の条件により、２本のアンテナからの信号の位相の推定（以下において、「アンテナベリフィケーション」という。）結果を反映させるか否か決定する制御部（例えば、アンテナベリフィケーション機能On/Off制御部７０）を備える。
【００４７】
＜第１の実施の形態＞
第１の実施の形態では、HS-PDSCHなどの共有チャネルの復号にはアンテナベリフィケーションを行わず、A-DPCHなどの個別チャネルの復号にはアンテナベリフィケーションを行うという、チャネル種別に応じてアンテナベリフィケーションのOn/Offを切り替える移動局装置及び移動局装置の制御方法について説明する。
【００４８】
（移動局装置）
第１の実施の形態に係る移動局装置１（受信部）は、図１に示すように、CPICH用逆拡散部１０と、DPCH用逆拡散部１１と、HS-PDSCH用逆拡散部１２と、位相比較部２０と、アンテナベリフィケーション部２１と、第１送信アンテナのチャネル推定部３０と、第２送信アンテナのチャネル推定部３１と、DPCH用第１送信アンテナのRAKE合成部４０と、DPCH用第２送信アンテナのRAKE合成部４１と、HS-PDSCH用第１送信アンテナのRAKE合成部４２と、HS-PDSCH用第２送信アンテナのRAKE合成部４３と、DCH用チャネル復号部５０と、HS-DSCH用チャネル復号部５１と、FBIビット生成部６０と、アンテナベリフィケーション機能On/Off制御部７０とを備える。
【００４９】
CPICH用逆拡散部１０は、受信信号に対して、所定のスクランブリングコード及びCPICHのチャネライゼーションコードを用いてCPICHの逆拡散を行い、上記逆拡散によって求められたCPICHシンボルを位相比較部２０、アンテナベリフィケーション部２１、第１送信アンテナのチャネル推定部３０、第２送信アンテナのチャネル推定部３１へ出力する。ここで、受信信号とは、アンテナにおいて受信された後、低雑音増幅器による増幅、周波数変換、自動利得制御増幅器による線形増幅、直交検波、A/D変換、ルートナイキストフィルタによる帯域制限等が行われた後の信号のことをさす。 
DPCH用逆拡散部１１は、受信信号に対して、所定のスクランブリングコード及びDPCHのチャネライゼーションコードを用いてDPCHの逆拡散を行い、逆拡散後のDPCHシンボルをDPCH用第1送信アンテナのRAKE合成部４０及びDPCH用第2送信アンテナのRAKE合成部４１へ出力する。また、DPCH用逆拡散部１１は、DPCHシンボルの中の個別パイロットシンボルをアンテナベリフィケーション部２１へ出力する。また、DPCH用逆拡散部１１は、上記個別パイロットシンボルを、第１送信アンテナチャネル推定部３０及び第２送信アンテナチャネル推定部３１へ出力してもよい。
【００５０】
HS-PDSCH用逆拡散部１２は、受信信号に対して、所定のスクランブリングコード及びHS-PDSCHのチャネライゼーションコードを用いてHS-PDSCHの逆拡散を行い、逆拡散後のHS-PDSCHシンボルをHS-PDSCH用第１送信アンテナのRAKE合成部４２及びHS-PDSCH用第２送信アンテナのRAKE合成部４３に出力する。
【００５１】
位相比較部２０は、CPICH用逆拡散部１０より入力されたCPICHシンボルを用いて、第１送信アンテナからの信号と第２送信アンテナからの信号の位相差を判定し、その判定結果をFBIビット生成部６０へ出力する。
【００５２】
アンテナベリフィケーション部２１は、CPICH用逆拡散部１０より入力されたCPICHシンボル及びDPCH用逆拡散部１１より受け取った個別パイロットシンボルを用いて、アンテナベリフィケーションを行い、第２送信アンテナからの信号に乗算されている重み付け係数を推定する。そして、上記重み付け係数の推定結果、すなわち、アンテナベリフィケーション結果をDPCH用第２送信アンテナのRAKE合成部４１及びアンテナベリフィケーション機能On/Off制御部７０へ出力する。
【００５３】
第１送信アンテナのチャネル推定部３０は、CPICH用逆拡散部１０より入力されたCPICHシンボルを用いて、第１送信アンテナからの信号のチャネル推定値を求め、上記第1アンテナのチャネル推定値をDPCH用第１送信アンテナのRAKE合成部４０及びHS-PDSCH用第１送信アンテナのRAKE合成部４２に出力する。ここで、第1送信アンテナからの信号のチャネル推定値は、CPICHシンボルだけでなく、DPCH用逆拡散部１１より入力された個別パイロットシンボルをも用いて計算されてもよい。
【００５４】
第２送信アンテナのチャネル推定部３１は、CPICH用逆拡散部１０より入力されたCPICHシンボルを用いて、第２アンテナからの信号のチャネル推定値を求め、上記第２送信アンテナのチャネル推定値をDPCH用第２送信アンテナのRAKE合成部４１及びHS-PDSCH用第２送信アンテナのRAKE合成部４３に出力する。ここで、第２送信アンテナからの信号のチャネル推定値は、CPICHシンボルだけでなく、DPCH用逆拡散部１１より受け取った個別パイロットシンボルをも用いて計算されてもよい。
【００５５】
DPCH用第1アンテナのRAKE合成部４０は、DPCH用逆拡散部１１より第１送信アンテナからのDPCHシンボルを、第1送信アンテナのチャネル推定部３０より、第１送信アンテナからの信号のチャネル推定値を受け取り、上記第1送信アンテナからのDPCHシンボルに関してRAKE合成を行い、RAKE合成後の信号をDPCH用のチャネル復号部５０へ出力する。
【００５６】
DPCH用第2アンテナのRAKE合成部４１は、DPCH用逆拡散部１１より第２送信アンテナからのDPCHシンボルを、第２送信アンテナのチャネル推定部３１より、第２送信アンテナからの信号のチャネル推定値を、アンテナベリフィケーション部２１よりアンテナベリフィケーション結果を受け取り、上記第２送信アンテナからのDPCHシンボルに関してRAKE合成を行い、RAKE合成後の信号をDPCH用のチャネル復号部５０へ出力する。ここで、上記RAKE合成を行う際には、送信信号に乗算されている送信アンテナウェイトが反映され、また、上記アンテナウェイトには、アンテナベリフィケーションの結果が反映されている。
【００５７】
HS-PDSCH用第１送信アンテナのRAKE合成部４２は、HS-PDSCH用逆拡散部１２より、第１送信アンテナからのHS-PDSCHシンボルを、第１送信アンテナのチャネル推定部３０より、第１送信アンテナからの信号のチャネル推定値を受け取り、上記第１送信アンテナからのHS-PDSCHシンボルに関してRAKE合成を行い、RAKE合成後の信号をHS-PDSCH用チャネル復号部５１へ出力する。
【００５８】
HS-PDSCH用第２アンテナのRAKE合成部４３は、HS-PDSCH用逆拡散部１２より、第２送信アンテナからのHS-PDSCHシンボルを、第２送信アンテナのチャネル推定部３１より、第２送信アンテナからの信号のチャネル推定値を、アンテナベリフィケーションOn/Off制御部７０よりアンテナベリフィケーション結果を受け取り、上記第２送信アンテナからのDPCHシンボルに関してRAKE合成を行い、RAKE合成後の信号をDPCH用チャネル復号部５０へ出力する。ここで、上記RAKE合成を行う際には、送信信号に乗算されている送信アンテナウェイトが反映され、また、上記アンテナウェイトには、アンテナベリフィケーションの結果が反映されている。尚、アンテナベリフィケーションOn/Off制御部７０が、アンテナベリフィケーションをOffとした場合には、アンテナベリフィケーション結果を受け取ることができないため、HS-PDSCH用第２アンテナのRAKE合成部４３は、アンテナベリフィケーションをOffとした場合のアンテナウェイトでRAKE合成を行う。
【００５９】
DPCH用チャネル復号部５０は、DPCH用第１送信アンテナのRAKE合成部４０からRAKE合成後の第１送信アンテナからのDPCHシンボルを受け取り、DPCH用第２送信アンテナのRAKE合成部４１からRAKE合成後の第２送信アンテナからのDPCHシンボルを受け取り、上記第１送信アンテナからのDPCHシンボルと第２送信アンテナからのDPCHシンボルを合成した後、チャネル復号を行う。ここで、チャネル復号とは、例えば、畳み込み復号やターボ復号のことをさし、送信側におけるチャネル符号化方法に依存する。
【００６０】
HS-PDSCH用チャネル復号部５１は、HS-PDSCH用第1送信アンテナのRAKE合成部４２からRAKE合成後の第１送信アンテナからのHS-PDSCHシンボルを受け取り、HS-PDSCH用第２送信アンテナのRAKE合成部４３からRAKE合成後の第２送信アンテナからのHS-PDSCHシンボルを受け取り、上記第1送信アンテナからのHS-PDSCHシンボルと第2送信アンテナからのHS-PDSCHシンボルを合成した後、チャネル復号を行う。ここで、HS-PDSCHにマッピングされているHS-DSCHは、送信側においてターボ符号を用いて符合化されるため、チャネル復号はターボ復号となる。
【００６１】
FBIビット生成部６０は、位相比較部２０より第1送信アンテナからの信号と第２の送信アンテナからの信号の位相差に関する判定結果を受け取り、FBIビットを作成する。
【００６２】
アンテナベリフィケーションOn/Off制御部７０は、アンテナベリフィケーション部２１より、アンテナベリフィケーション結果を受け取る。ここで、アンテナベリフィケーションOn/Off制御部７０は、DPCHの復調にはアンテナベリフィケーション結果を反映させるが、HS-PDSCHの復調にはアンテナベリフィケーションの結果を反映させない、という制御を行い、HS-PDSCH用第2送信アンテナのRAKE合成部４３にはアンテナベリフィケーション結果を送信しない。この場合、結果として、個別チャネルであるDPCHに関してはアンテナベリフィケーションを行うが、共有チャネルであるHS-PDSCHに関してはアンテナベリフィケーションを行わない、という制御となる。
【００６３】
尚、図１では、共有チャネルであるHS-PDSCHに関してアンテナベリフィケーション結果を送信する／しないを制御する構成としているが、個別チャネルであるDPCHに関してアンテナベリフィケーション結果を送信する／しないを制御する構成としてもよい。即ち、アンテナベリフィケーション機能On/Off制御部７０は、HS-PDSCH用第２送信アンテナのRAKE合成部４３にアンテナベリフィケーション結果を送信する／しないを制御する構成ではなく、DPCH用第２送信アンテナのRAKE合成部４１にアンテナベリフィケーション結果を送信する／しないを制御する構成としてもよい。
【００６４】
（移動局装置の制御方法）
次に、第１の実施の形態に係る移動局装置１の移動局装置の制御方法について、図２を用いて説明する。
【００６５】
まず、ステップＳ１０１において、移動局装置１は、復調・復号する対象が共有チャネルであるか否かを判定し、復調・復号する対象が共有チャネルであると判定した場合にはステップＳ１０２へ進み、共有チャネルでないと判定した場合にはステップＳ１０３へ進む。ここで、共有チャネルとは、例えば、HS-PDSCH (トランスポートチャネルとしてはHS-DSCH)であり、共有チャネルではない場合とは、例えば、DPCHであることを指す。
【００６６】
次に、ステップＳ１０２において、移動局装置１は、当該チャネルに関して、アンテナベリフィケーション結果を反映させずに復調・復号を行う。
【００６７】
一方、ステップＳ１０３において、移動局装置１は、当該チャネルに関して、アンテナベリフィケーション結果を反映させて復調・復号を行う。
【００６８】
ここで、共有チャネルである場合とそうでない場合で、アンテナベリフィケーション結果を反映させる／させないを制御したが、共有チャネルに限らず、別のチャネル種別に応じて、同様の制御を行ってもよい。
【００６９】
（作用及び効果）
第１の実施の形態に係る移動局装置及び移動局装置の制御方法によると、チャネル種別によって、アンテナベリフィケーション結果を反映させる／させないの制御を行うことができる。このように、アンテナベリフィケーション結果を反映させた方が、特性が良くなるチャネルに関しては、アンテナベリフィケーション結果を反映させ、アンテナベリフィケーション結果を反映させない方が、特性が良くなるチャネルに関しては、アンテナベリフィケーション結果を反映させないことにより、各チャネルの誤り率を低減することができる。
【００７０】
具体的には、チャネル種別がHigh Speed Physical Downlink Shared Channelなどの共有パケットチャネルである場合、アンテナベリフィケーション結果を反映させず、チャネル種別がAssociated Dedicated Physical Channel、又は、Dedicated Physical Channelなどの個別チャネルである場合、アンテナベリフィケーション結果を反映させることができる。
【００７１】
＜第２の実施の形態＞
アンテナベリフィケーション誤りによる特性の劣化は、A-DPCHの個別パイロットの品質に大きく依存する。第２の実施の形態では、個別パイロットシンボルのSIRに基づいて、アンテナベリフィケーションのOn/Offを切り替える移動局装置及び移動局装置の制御方法について説明する。
【００７２】
（移動局装置）
第２の実施の形態に係る移動局装置１（受信部）は、図１に示すように、CPICH用逆拡散部１０と、DPCH用逆拡散部１１と、HS-PDSCH用逆拡散部１２と、位相比較部２０と、アンテナベリフィケーション部２１と、第１送信アンテナのチャネル推定部３０と、第２送信アンテナのチャネル推定部３１と、DPCH用第１送信アンテナのRAKE合成部４０と、DPCH用第２送信アンテナのRAKE合成部４１と、HS-PDSCH用第１送信アンテナのRAKE合成部４２と、HS-PDSCH用第２送信アンテナのRAKE合成部４３と、DCH用チャネル復号部５０と、HS-DSCH用チャネル復号部５１と、FBIビット生成部６０と、アンテナベリフィケーション機能On/Off制御部７０とを備える。
【００７３】
アンテナベリフィケーションOn/Off制御部７０は、DPCHにマッピングされている個別パイロットシンボルのSIRを取得する。そして、アンテナベリフィケーションOn/Off制御部７０は、個別パイロットシンボルのSIRが所定の閾値よりも大きい場合には、アンテナベリフィケーション結果をHS-PDSCH用第２送信アンテナのRAKE合成部４３に送信し、SIRが所定の閾値と同様、あるいは、SIRが所定の閾値以下の場合には、アンテナベリフィケーション結果をHS-PDSCH用第２送信アンテナのRAKE合成部４３に送信しない。ここで、個別パイロットシンボルのSIRは、例えば、アンテナベリフィケーション部２１で生成され、アンテナベリフィケーションOn/Off制御部７０に通知される。
【００７４】
移動局装置１のその他の機能については、第１の実施の形態と同様であるので、ここでは説明を省略する。
【００７５】
（移動局装置の制御方法）
次に、第２の実施の形態に係る移動局装置１の移動局装置の制御方法について、図３を用いて説明する。
【００７６】
まず、ステップＳ２０１において、移動局装置１は、復調・復号する対象が共有チャネルであるか否かを判定し、復調・復号する対象が共有チャネルであると判定した場合にはステップＳ２０２へ進み、共有チャネルでないと判定した場合にはステップＳ２０３へ進む。ここで、共有チャネルとは、例えば、HS-PDSCH (トランスポートチャネルとしてはHS-DSCH)であり、共有チャネルではない場合とは、例えば、DPCHであることを指す。
【００７７】
次に、ステップＳ２０２において、移動局装置１は、個別パイロットシンボルのSIRと所定の閾値とを比較し、SIRが所定の閾値よりも小さい場合にはステップＳ２０３へ進み、SIRが所定の閾値と同等、あるいはSIRが所定の閾値より大きい場合にはステップＳ２０４へ進む。
【００７８】
ステップＳ２０３において、移動局装置１は、当該チャネルに関して、アンテナベリフィケーション結果を反映させずに復調・復号を行う。
【００７９】
一方、ステップＳ２０４において、移動局装置１は、当該チャネルに関して、アンテナベリフィケーション結果を反映させて復調・復号を行う。
【００８０】
尚、ステップＳ２０１において、共有チャネルであるか否かの判断を行ったが、この判断は省略しても構わない。又、ステップＳ２０２における所定の閾値は、チャネル毎に設定されてもよい。
【００８１】
又、ここで個別パイロットシンボルのSIRによって、アンテナベリフィケーション結果を反映させる／させないの判定を行ったが、下りの個別パイロットの無線品質の指標となる値であれば、SIR以外のものを用いても構わない。
【００８２】
更に、ステップＳ２０２において、SIRと所定の閾値が同等の場合は、ステップＳ２０４へ進むと説明したが、同等の場合は、ステップＳ２０３へ進むとしてもよい。
【００８３】
（作用及び効果）
第２の実施の形態に係る移動局装置及び移動局装置の制御方法によると、個別パイロットシンボルのSIRに応じて、アンテナベリフィケーション結果を反映させる／させないの制御を行うことにより、アンテナベリフィケーションの精度が高い場合には、アンテナベリフィケーション結果を反映させ、アンテナベリフィケーションの精度が低い場合には、アンテナベリフィケーション結果を反映させない、という制御を行うことができる。このため、各チャネルにおける、アンテナベリフィケーション誤りによる特性の劣化を防止することができ、下りリンクの特性、例えば、BLER、伝送速度を向上させることができる。
【００８４】
＜第３の実施の形態＞
上述したように、アンテナベリフィケーション誤りによる特性の劣化は、A-DPCHの個別パイロットの品質に大きく依存する。第３の実施の形態では、個別パイロットシンボルの電力オフセット値に基づいて、アンテナベリフィケーションのOn/Offを切り替える移動局装置及び移動局装置の制御方法について説明する。
【００８５】
（移動局装置）
第３の実施の形態に係る移動局装置１（受信部）は、図１に示すように、CPICH用逆拡散部１０と、DPCH用逆拡散部１１と、HS-PDSCH用逆拡散部１２と、位相比較部２０と、アンテナベリフィケーション部２１と、第１送信アンテナのチャネル推定部３０と、第２送信アンテナのチャネル推定部３１と、DPCH用第１送信アンテナのRAKE合成部４０と、DPCH用第２送信アンテナのRAKE合成部４１と、HS-PDSCH用第１送信アンテナのRAKE合成部４２と、HS-PDSCH用第２送信アンテナのRAKE合成部４３と、DCH用チャネル復号部５０と、HS-DSCH用チャネル復号部５１と、FBIビット生成部６０と、アンテナベリフィケーション機能On/Off制御部７０とを備える。
【００８６】
アンテナベリフィケーションOn/Off制御部７０は、DPCHにマッピングされている個別パイロットシンボルの電力オフセット値を取得する。そして、アンテナベリフィケーションOn/Off制御部７０は、個別パイロットシンボルの電力オフセット値が所定の閾値よりも大きい場合には、上記アンテナベリフィケーション結果をHS-PDSCH用第2送信アンテナのRAKE合成部４３へ送信し、電力オフセット値と所定の閾値が同等、あるいは、電力オフセット値が所定の閾値以下の場合には、アンテナベリフィケーション結果をHS-PDSCH用第2送信アンテナのRAKE合成部４３へ送信しない。ここで、個別パイロットシンボルの電力オフセット値は、送信側において、上記個別パイロットシンボルに適用される電力オフセット値のことであり、移動局装置１には上位レイヤのシグナリングにより通知される。
【００８７】
移動局装置１のその他の機能については、第１の実施の形態と同様であるので、ここでは説明を省略する。
【００８８】
（移動局装置の制御方法）
次に、第３の実施の形態に係る移動局装置１の移動局装置の制御方法について、図４を用いて説明する。
【００８９】
まず、ステップＳ３０１において、移動局装置１は、復調・復号する対象が共有チャネルであるか否かを判定し、復調・復号する対象が共有チャネルであると判定した場合にはステップＳ３０２へ進み、共有チャネルでないと判定した場合にはステップＳ３０３へ進む。ここで、共有チャネルとは、例えば、HS-PDSCH (トランスポートチャネルとしてはHS-DSCH)であり、共有チャネルではない場合は、例えば、DPCHであることを指す。
【００９０】
次に、ステップＳ３０２において、移動局装置１は、個別パイロットシンボルの送信電力オフセット値と所定の閾値とを比較し、送信電力オフセット値が所定の閾値よりも小さい場合にはステップＳ３０３へ進み、送信電力オフセット値が所定の閾値と同等、あるいは、送信電力オフセット値が所定の閾値よりも大きい場合にはステップＳ３０４へ進む。
【００９１】
次に、ステップＳ３０３において、移動局装置１は、当該チャネルに関して、アンテナベリフィケーション結果を反映させずに復調・復号を行う。
【００９２】
一方、ステップＳ３０４において、移動局装置１は、当該チャネルに関して、アンテナベリフィケーション結果を反映させて復調・復号を行う。
【００９３】
尚、ステップＳ３０１において、共有チャネルであるか否かの判断を行ったが、この判断は省略しても構わない。又、ステップＳ３０２における所定の閾値は、チャネル毎に設定されてもよい。
【００９４】
更に、ステップＳ３０２において、送信電力オフセット値と所定の閾値が同等の場合は、ステップＳ３０４へ進むと説明したが、同等の場合は、ステップＳ３０３へ進むとしてもよい。
【００９５】
（作用及び効果）
第３の実施の形態に係る移動局装置及び移動局装置の制御方法によると、個別パイロットシンボルの送信電力オフセット値に応じて、アンテナベリフィケーション結果を反映させる／させないの制御を行うことにより、アンテナベリフィケーションの精度が高い場合には、アンテナベリフィケーション結果を反映させ、アンテナベリフィケーションの精度が低い場合には、アンテナベリフィケーション結果を反映させない、という制御を行うことができる。このため、各チャネルにおける、アンテナベリフィケーション誤りによる特性の劣化を防止することができ、下りリンクの特性、例えば、BLER、伝送速度を向上させることができる。
【００９６】
＜第４の実施の形態＞
上述したように、アンテナベリフィケーション誤りによる特性の劣化は、A-DPCHの個別パイロットの品質に大きく依存する。第４の実施の形態では、上りリンクにおけるFBIビットの信頼度に基づいて、アンテナベリフィケーションのOn/Offを切り替える移動局装置及び移動局装置の制御方法について説明する。
【００９７】
（移動局装置）
第４の実施の形態に係る移動局装置１（受信部）は、図１に示すように、CPICH用逆拡散部１０と、DPCH用逆拡散部１１と、HS-PDSCH用逆拡散部１２と、位相比較部２０と、アンテナベリフィケーション部２１と、第１送信アンテナのチャネル推定部３０と、第２送信アンテナのチャネル推定部３１と、DPCH用第１送信アンテナのRAKE合成部４０と、DPCH用第２送信アンテナのRAKE合成部４１と、HS-PDSCH用第１送信アンテナのRAKE合成部４２と、HS-PDSCH用第２送信アンテナのRAKE合成部４３と、DCH用チャネル復号部５０と、HS-DSCH用チャネル復号部５１と、FBIビット生成部６０と、アンテナベリフィケーション機能On/Off制御部７０とを備える。
【００９８】
アンテナベリフィケーションOn/Off制御部７０は、DPCHにマッピングされている上りリンクにおけるFBIビットの信頼度を取得する。そして、アンテナベリフィケーションOn/Off制御部７０は、上りリンクにおけるFBIビットの信頼度が所定の閾値よりも大きい場合には、アンテナベリフィケーション結果をHS-PDSCH用第2送信アンテナのRAKE合成部４３へ送信せず、信頼度と所定の閾値が同等、あるいは、信頼度が所定の閾値以下の場合には、アンテナベリフィケーション結果をHS-PDSCH用第2送信アンテナのRAKE合成部４３へ送信する。
【００９９】
ここで、上りリンクのFBIビットの信頼度は、移動局装置１により算出されてもよく、無線基地局装置より通知されてもよい。
【０１００】
移動局装置１のその他の機能については、第１の実施の形態と同様であるので、ここでは説明を省略する。
【０１０１】
（移動局装置の制御方法）
次に、第４の実施の形態に係る移動局装置１の移動局装置の制御方法について、図５を用いて説明する。
【０１０２】
まず、ステップＳ４０１において、移動局装置１は、復調・復号する対象が共有チャネルであるか否かを判定し、復調・復号する対象が共有チャネルであると判定した場合にはステップＳ４０２へ進み、共有チャネルでないと判定した場合にはステップＳ４０３へ進む。ここで、共有チャネルとは、例えば、HS-PDSCH (トランスポートチャネルとしてはHS-DSCH)であり、共有チャネルではない場合は、例えば、DPCHであることを指す。
【０１０３】
次に、ステップＳ４０２において、移動局装置１は、上りリンクにおけるFBIビットの信頼度と所定の閾値とを比較し、信頼度が所定の閾値よりも大きい場合にはステップＳ４０３へ進み、信頼度が所定の閾値と同等、あるいは、所定の閾値よりも小さい場合にはステップＳ４０４へ進む。
【０１０４】
次に、ステップＳ４０３において、移動局装置１は、当該チャネルに関して、アンテナベリフィケーション結果を反映させずに復調・復号を行う。
【０１０５】
一方、ステップＳ４０４において、移動局装置１は、当該チャネルに関して、アンテナベリフィケーション結果を反映させて復調・復号を行う。
【０１０６】
尚、ステップＳ４０１において、共有チャネルであるか否かの判断を行ったが、この判断は省略しても構わない。又、ステップＳ４０２における所定の閾値は、チャネル毎に設定されてもよい。
【０１０７】
更に、ステップＳ４０２において、信頼度と所定の閾値が同等の場合は、ステップＳ４０４へ進むと説明したが、同等の場合は、ステップＳ４０３へ進むとしてもよい。
【０１０８】
更に、ステップＳ４０２において、信頼度が閾値よりも大きい場合にはステップＳ４０３へ進むと説明したが、小さい場合にステップＳ４０３へ進んでもよい。このとき、同様に、ステップＳ４０２において、信頼度が所定の閾値と同等、あるいは、所定の閾値よりも大きい場合に、ステップＳ４０４へ進んでもよい。
【０１０９】
（作用及び効果）
第４の実施の形態に係る移動局装置及び移動局装置の制御方法によると、上りリンクのFBIビットの信頼度に応じて、アンテナベリフィケーション結果を反映させる／させないの制御を行うことにより、アンテナベリフィケーションの精度が高い場合には、アンテナベリフィケーション結果を反映させ、アンテナベリフィケーションの精度が低い場合には、アンテナベリフィケーション結果を反映させない、という制御を行うことができる。このため、各チャネルにおける、アンテナベリフィケーション誤りによる特性の劣化を防止することができ、下りリンクの特性、例えば、BLER、伝送速度を向上させることができる。
【０１１０】
＜第５の実施の形態＞
上りリンクの誤り率が大きく、上りのFBIビット誤りが増大するような環境においては、やはりアンテナベリフィケーションの効果は大きく、アンテナベリフィケーションを行う意義は大きい。よって、上りリンクの環境に応じて、アンテナベリフィケーションのOn/Offを制御することにより、特性の改善を図ることが可能となる。第５の実施の形態では、フェージング周波数に基づいて、アンテナベリフィケーションのOn/Offを切り替える移動局装置及び移動局装置の制御方法について説明する。
【０１１１】
（移動局装置）
第５の実施の形態に係る移動局装置１（受信部）は、図１に示すように、CPICH用逆拡散部１０と、DPCH用逆拡散部１１と、HS-PDSCH用逆拡散部１２と、位相比較部２０と、アンテナベリフィケーション部２１と、第１送信アンテナのチャネル推定部３０と、第２送信アンテナのチャネル推定部３１と、DPCH用第１送信アンテナのRAKE合成部４０と、DPCH用第２送信アンテナのRAKE合成部４１と、HS-PDSCH用第１送信アンテナのRAKE合成部４２と、HS-PDSCH用第２送信アンテナのRAKE合成部４３と、DCH用チャネル復号部５０と、HS-DSCH用チャネル復号部５１と、FBIビット生成部６０と、アンテナベリフィケーション機能On/Off制御部７０とを備える。
【０１１２】
アンテナベリフィケーションOn/Off制御部７０は、伝搬環境におけるフェージング周波数を推定する。そして、アンテナベリフィケーションOn/Off制御部７０は、フェージング周波数が所定の閾値よりも大きい場合には、アンテナベリフィケーション結果をHS-PDSCH用第２送信アンテナのRAKE合成部４３へ送信し、フェージング周波数が所定の閾値と同等、あるいは、フェージング周波数が所定の閾値よりも小さい場合には、アンテナベリフィケーション結果をHS-PDSCH用第2送信アンテナのRAKE合成部４３へ送信しない。
【０１１３】
移動局装置１のその他の機能については、第５の実施の形態と同様であるので、ここでは説明を省略する。
【０１１４】
（移動局装置の制御方法）
次に、第５の実施の形態に係る移動局装置１の移動局装置の制御方法について、図６を用いて説明する。
【０１１５】
まず、ステップＳ５０１において、移動局装置１は、復調・復号する対象が共有チャネルであるか否かを判定し、復調・復号する対象が共有チャネルであると判定した場合にはステップＳ５０２へ進み、共有チャネルでないと判定した場合にはステップＳ５０３へ進む。ここで、共有チャネルとは、例えば、HS-PDSCH (トランスポートチャネルとしてはHS-DSCH)であり、共有チャネルではない場合は、例えば、DPCHであることを指す。
【０１１６】
次に、ステップＳ５０２において、移動局装置１は、フェージング周波数を推定し、フェージング周波数が所定の閾値よりも大きい場合には、上りリンクにおけるFBIビットの信頼度が小さいと判定し、ステップＳ５０４へ進み、フェージング周波数と所定の閾値が同等、あるいは、フェージング周波数が所定の閾値よりも小さい場合には、上りリンクにおけるFBIビットの信頼度が大きいと判定し、ステップＳ５０３へ進む。
【０１１７】
次に、ステップＳ５０３において、移動局装置１は、当該チャネルに関して、アンテナベリフィケーション結果を反映させずに復調・復号を行う。
【０１１８】
一方、ステップＳ５０４において、移動局装置１は、当該チャネルに関して、アンテナベリフィケーション結果を反映させて復調・復号を行う。
【０１１９】
尚、ステップＳ５０１において、共有チャネルであるか否かの判断を行ったが、この判断は省略しても構わない。又、ステップＳ５０２における所定の閾値は、チャネル毎に設定されてもよい。
【０１２０】
更に、ステップＳ５０２において、フェージング周波数と所定の閾値が同等の場合は、ステップＳ５０４へ進むと説明したが、同等の場合は、ステップＳ５０３へ進むとしてもよい。
【０１２１】
更に、ステップＳ５０２において、フェージング周波数が所定の閾値よりも大きい場合には、ステップＳ５０４へ進むと説明したが、フェージング周波数が所定の閾値よりも大きい場合に、ステップＳ５０３へ進んでもよい。このとき、同様に、ステップＳ５０２において、フェージング周波数と所定の閾値が同等、あるいは、フェージング周波数が所定の閾値よりも小さい場合に、ステップＳ５０４へ進んでもよい。
【０１２２】
（作用及び効果）
第５の実施の形態に係る移動局装置及び移動局装置の制御方法によると、フェージング周波数に応じて、アンテナベリフィケーション結果を反映させる／させないの制御を行うことにより、アンテナベリフィケーションの精度が高い場合には、アンテナベリフィケーション結果を反映させ、アンテナベリフィケーションの精度が低い場合には、アンテナベリフィケーション結果を反映させない、という制御を行うことができる。このため、各チャネルにおける、アンテナベリフィケーション誤りによる特性の劣化を防止することができ、下りリンクの特性、例えば、BLER、伝送速度を向上させることができる。
【０１２３】
＜第６の実施の形態＞
上述したように、上りリンクの環境に応じて、アンテナベリフィケーションのOn/Offを制御することにより、特性の改善を図ることが可能となる。第６の実施の形態では、移動局装置１が通信を行う無線基地局装置の数に基づいて、アンテナベリフィケーションのOn/Offを切り替える移動局装置及び移動局装置の制御方法について説明する。
【０１２４】
（移動局装置）
第６の実施の形態に係る移動局装置１（受信部）は、図１に示すように、CPICH用逆拡散部１０と、DPCH用逆拡散部１１と、HS-PDSCH用逆拡散部１２と、位相比較部２０と、アンテナベリフィケーション部２１と、第１送信アンテナのチャネル推定部３０と、第２送信アンテナのチャネル推定部３１と、DPCH用第１送信アンテナのRAKE合成部４０と、DPCH用第２送信アンテナのRAKE合成部４１と、HS-PDSCH用第１送信アンテナのRAKE合成部４２と、HS-PDSCH用第２送信アンテナのRAKE合成部４３と、DCH用チャネル復号部５０と、HS-DSCH用チャネル復号部５１と、FBIビット生成部６０と、アンテナベリフィケーション機能On/Off制御部７０とを備える。
【０１２５】
アンテナベリフィケーションOn/Off制御部７０は、移動局装置１が、単一の無線基地局装置と通信を行っている場合には、アンテナベリフィケーション結果をHS-PDSCH用第２送信アンテナのRAKE合成部４３へ送信せず、複数の無線基地局と通信を行っている場合には、アンテナベリフィケーション結果をHS-PDSCH用第２送信アンテナのRAKE合成部４３へ送信する。
【０１２６】
移動局装置１のその他の機能については、第１の実施の形態と同様であるので、ここでは説明を省略する。
【０１２７】
（移動局装置の制御方法）
次に、第６の実施の形態に係る移動局装置１の移動局装置の制御方法について、図７を用いて説明する。
【０１２８】
まず、ステップＳ６０１において、移動局装置１は、復調・復号する対象が共有チャネルであるか否かを判定し、復調・復号する対象が共有チャネルであると判定した場合にはステップＳ６０２へ進み、共有チャネルでないと判定した場合にはステップＳ６０４へ進む。ここで、共有チャネルとは、例えば、HS-PDSCH (トランスポートチャネルとしてはHS-DSCH)であり、共有チャネルでは場合は、例えば、DPCHであることを指す。
【０１２９】
次に、ステップＳ６０２において、移動局装置１は、当該移動局が複数の無線基地局装置と通信を行っている場合には、上りリンクにおけるFBIビットの信頼度が小さいと判定し、ステップＳ６０４へ進み、当該移動局が単一の無線基地局装置と通信を行っている場合には、上りリンクにおけるFBIビットの信頼度が大きいと判定し、ステップＳ６０３へ進む。ここで、一般的に上りリンクにおいては、当該移動局装置が複数の無線基地局装置と通信を行っている場合、データ部分のビット、あるいは、復号後の受信結果は、上記複数の無線基地局装置のさらに上位に位置する無線制御装置で合成されるが、FBIビットは、上記のような合成は行われない。上りリンクの無線品質は、データ部分の無線品質、例えば、BLER等で制御されているため、結果として、当該移動局装置が単一の無線基地局装置と通信を行っている場合よりも、複数の無線基地局装置と通信を行っている場合の方が、FBIビットの誤り率は高くなる、すなわち、信頼度が低くなると考えられる。
【０１３０】
次に、ステップＳ６０３において、移動局装置１は、当該チャネルに関して、アンテナベリフィケーション結果を反映させずに復調・復号を行う。
【０１３１】
一方、ステップＳ６０４において、移動局装置１は、当該チャネルに関して、アンテナベリフィケーション結果を反映させて復調・復号を行う。
【０１３２】
尚、ステップＳ６０１において、共有チャネルであるか否かの判断を行ったが、この判断は省略しても構わない。
【０１３３】
更に、ステップＳ６０２において、移動局が複数の無線基地局装置と通信を行っている場合には、ステップＳ６０４へ進むと説明したが、移動局が複数の無線基地局装置と通信を行っている場合に、ステップＳ６０３へ進んでもよい。このとき、同様に、ステップＳ６０２において、移動局が単一の無線基地局装置と通信を行っている場合に、ステップＳ６０４へ進んでもよい。
【０１３４】
（作用及び効果）
第５の実施の形態に係る移動局装置及び移動局装置の制御方法によると、当該移動局装置１が複数の無線基地局装置と通信を行っているか／いないかに応じて、アンテナベリフィケーション結果を反映させる／させないの制御を行うことにより、アンテナベリフィケーションの精度が高い場合には、アンテナベリフィケーション結果を反映させ、アンテナベリフィケーションの精度が低い場合には、アンテナベリフィケーション結果を反映させない、という制御を行うことができる。このため、各チャネルにおける、アンテナベリフィケーション誤りによる特性の劣化を防止することができ、下りリンクの特性、例えば、BLER、伝送速度を向上させることができる。
【０１３５】
＜その他の実施の形態＞
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【０１３６】
例えば、第１〜第６の実施の形態において、3GPPにおける高速パケット伝送方式HSDPAに関して記述したが、本発明は上記HSDPAに限定されるものではなく、その他の移動通信システムにおける送信ダイバーシチを用いた通信方式に適用することが可能である。例えば、3GPP2におけるCDMA2000方式、 TDD方式などがその他の通信方式として挙げられる。
【０１３７】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【０１３８】
【図１】第１〜第６の実施の形態に係る移動局装置の構成ブロック図である。
【図２】第１の実施の形態に係る移動局装置の制御方法を示すフローチャートである。
【図３】第２の実施の形態に係る移動局装置の制御方法を示すフローチャートである。
【図４】第３の実施の形態に係る移動局装置の制御方法を示すフローチャートである。
【図５】第４の実施の形態に係る移動局装置の制御方法を示すフローチャートである。
【図６】第５の実施の形態に係る移動局装置の制御方法を示すフローチャートである。
【図７】第６の実施の形態に係る移動局装置の制御方法を示すフローチャートである。
【図８】従来の閉ループ型送信ダイバーシチの送信部の構成ブロック図である。
【図９】従来の閉ループ型送信ダイバーシチの受信部の構成ブロック図である。
【符号の説明】
【０１３９】
１０、１１０…CPICH用逆拡散部
１１…DPCH用逆拡散部
１２…HS-PDSCH用逆拡散部
２０、１２０…位相比較部
２１、１２１…アンテナベリフィケーション部
３０、１３０…第１送信アンテナのチャネル推定部
３１、１３１…第２送信アンテナのチャネル推定部
４０…DPCH用第１送信アンテナのRAKE合成部
４１…DPCH用第２送信アンテナのRAKE合成部
４２…HS-PDSCH用第１送信アンテナのRAKE合成部
４３…HS-PDSCH用第２送信アンテナのRAKE合成部
５０…DCH用チャネル復号部
５１…HS-DSCH用チャネル復号部
６０、１６０…FBIビット生成部
７０…アンテナベリフィケーション機能On/Off制御部
１１１…データチャネル用逆拡散部
１４０…第１送信アンテナのRAKE合成部
１４１…第２送信アンテナのRAKE合成部
１５０…チャネル復号部
１８０…チャネル符号器
１８１…重み付け部
１８２…拡散部
１８３…アンテナウェイト生成器
１８４…拡散コード生成器
１８５…多重部
１８６…多重部
２００…無線基地局装置
【図１】
2006222937.tif 000021
【図２】
2006222937.tif 000022
【図３】
2006222937.tif 000023
【図４】
2006222937.tif 000024
【図５】
2006222937.tif 000025
【図６】
2006222937.tif 000026
【図７】
2006222937.tif 000027
【図８】
2006222937.tif 000028
【図９】
2006222937.tif 000029